(57)【特許請求の範囲】
【請求項１】
脆性材料からなる板材を分断計画線に沿って分断する分断方法であって、
前記分断計画線上で前記板材の第１主面に微小な起点疵を形成する疵形成工程と、
前記分断計画線を挟む当該分断計画線と平行な一対の線上で前記板材の第１主面を押える押え工程と、
前記分断計画線に沿って延びる分断部材であって前記板材を接触加熱又は接触冷却する分断部材を前記板材に接触させて前記板材の第１主面に引張熱応力を発生させるとともに、前記分断計画線に沿って前記板材の第１主面と反対を向く第２主面に板厚方向の曲げ力を付与することにより、前記曲げ力による引張応力と前記引張熱応力とを重畳させて前記板材を前記分断計画線に沿って分断する分断工程と、
を有することを特徴とする脆性材料の板材の分断方法。
【請求項２】
前記分断部材は、前記板材の第２主面側に配置された、前記板材の第２主面を接触加熱するものであり、前記分断部材を前記板材の第２主面に接触させて前記板材の第１主面に引張熱応力を発生させ、
前記分断部材を前記板材に押圧することによって、前記板材の第２主面に板厚方向の曲げ力を付与する、請求項１に記載の脆性材料の板材の分断方法。
【請求項３】
前記分断工程では、前記分断部材を前記板材の第２主面に接触させるとともに、前記板材の第１主面側に配置された、前記分断計画線に沿って延びる第２の分断部材であって前記板材の第１主面を接触冷却する第２の分断部材を、前記板材の第１主面に接触させる、請求項２に記載の脆性材料の板材の分断方法。
【請求項４】
前記分断部材は、前記板材の第１主面側に配置された、前記板材の第１主面を接触冷却するものであり、
前記分断工程では、前記分断部材を前記板材の第１主面に接触させるとともに、前記分断部材と対向して配置された押圧部材であって前記分断計画線に沿って延びる押圧部材を、前記分断部材に抗して前記板材に押圧することによって、前記板材の第２主面に板厚方向の曲げ力を付与する、請求項１に記載の脆性材料の板材の分断方法。
【請求項５】
前記分断工程では、前記板材を分断計画線と直交する方向に引っ張る、請求項１〜４のいずれか１項に記載の脆性材料の板材の分断方法。
【請求項６】
前記起点疵を、前記板材の端部に形成する、請求項１〜５のいずれか１項に記載の板材の分断方法。
【請求項７】
脆性材料からなる板材であって分断計画線上で当該板材の第１主面に微小な起点疵が形成された板材を前記分断計画線に沿って分断する分断装置であって、
前記分断計画線を挟む当該分断計画線と平行な一対の線上で前記板材の第１主面を押える一対の押え部材と、
前記板材の第１主面と反対を向く第２主面側に配置された、前記分断計画線に沿って延び、前記板材の第２主面を接触加熱する分断部材と、
前記分断部材を前記板材の第２主面に接触させて前記板材の第１主面に引張熱応力を発生させるとともに、前記分断部材を前記板材に押圧して前記分断計画線に沿って前記板材の第２主面に板厚方向の曲げ力を付与することによって、前記曲げ力による引張応力と前記引張熱応力とが重畳されて前記板材が前記分断計画線に沿って分断されるように、前記分断部材を駆動する駆動機と、
を備えることを特徴とする脆性材料の板材の分断装置。
【請求項８】
前記板材の第１主面側に配置された、前記分断計画線に沿って延びる第２の分断部材であって、前記板材の第１主面に接触させられて前記板材の第１主面を接触冷却する第２の分断部材をさらに備える、請求項７に記載の脆性材料の板材の分断装置。
【請求項９】
脆性材料からなる板材であって分断計画線上で当該板材の第１主面に微小な起点疵が形成された板材を前記分断計画線に沿って分断する分断装置であって、
前記分断計画線を挟む当該分断計画線と平行な一対の線上で前記板材の第１主面を押える一対の押え部材と、
前記板材の第１主面側に配置された、前記分断計画線に沿って延び、前記板材の第１主面を接触冷却する分断部材と、
前記分断部材を前記板材の第１主面に接触させて前記板材の第１主面に引張熱応力を発生させるように、前記分断部材を駆動する第１駆動機と、
前記分断部材と対向して配置された押圧部材であって前記分断計画線に沿って延びる押圧部材と、
前記押圧部材を前記分断部材に抗して前記板材に押圧して前記分断計画線に沿って前記板材の第１主面と反対を向く第２主面に板厚方向の曲げ力を付与することによって、前記曲げ力による引張応力と前記引張熱応力とが重畳されて前記板材が前記分断計画線に沿って分断されるように、前記押圧部材を駆動する第２駆動機と、
を備えることを特徴とする脆性材料の板材の分断装置。
【請求項１０】
前記板材を前記分断計画線と直交する方向に引っ張る引張機をさらに備える、請求項７〜９のいずれか１項に記載の脆性材料の板材の分断装置。
【請求項１１】
前記分断計画線上で前記板材の第１主面に前記起点疵を形成する疵形成手段をさらに備える、請求項７〜１０のいずれか１項に記載の板材の分断装置。
【請求項１２】
前記板材の第２主面を接触加熱する前記分断部材は、前記板材に接する部分が、当該板材が前記分断計画線に沿って分断されるときの屈曲角よりも小さい接触角度を有する形状に形成されている、請求項７、８、１０、１１のいずれか１項に記載の脆性材料の板材の分断装置。
【請求項１３】
前記押圧部材は、前記板材に接する部分が、当該板材が前記分断計画線に沿って分断されるときの屈曲角よりも小さい接触角度を有する形状に形成されている、請求項９〜１１のいずれか１項に記載の脆性材料の板材の分断装置。
【発明の詳細な説明】
【技術分野】
【０００１】
本願発明は、脆性材料からなる板材を分断するための分断方法と分断装置に関する。
【背景技術】
【０００２】
近年、ＦＰＤ（flat panel display）や建材、自動車産業等において、ガラス板や半導体基板などの脆性材料からなる板材（以下、単に「板材」という）が多く用いられている。この板材は、軽量化などの目的から厚さが非常に薄くなった薄板材もある（例えば、１ｍｍ以下で、近年では０．３ｍｍ程度もある）。【０００３】
このような板材は、使用目的などに応じて所望の大きさに分断されている。一般的な分断方法としては、例えば、ガラス板（以下、板材の一例として「ガラス板」を例に説明する）の場合、分断計画線に沿ってメカニカルカッタ（ダイヤモンドカッタ、超硬ホイールなど）でスクライブ溝（切れ込み）を形成し、そのスクライブ溝に沿って機械的な応力（曲げ応力）を与えて分断（割断）する方法がある。この場合、削り屑や微細な分断屑（カレット）等の塵（以下、「分断塵」という）が発生してガラス表面を汚染する。そのため、その分断塵を洗浄するための洗浄装置が必要となる。【０００４】
また、スクライブ溝に沿って分断したエッジは、メカニカルカッタによって微小欠けなどを生じて強度が低下するため、エッジの研削及び研磨が必要になる。また、生産性を上げるには、スクライブ溝を形成するスクライビング装置と割断する分断装置とが必要になり、コストアップとなる。【０００５】
この種の先行技術として、ガラスの切断線に沿って熱線を敷き、その熱線を所定温度に加熱するのと同時に一端面からのクラックの進展を速めるためガラス全体に切断方向の引張力を作用させて、熱応力クラックを切断線に沿って走らせてガラスを分断する方法が示されている（例えば、非特許文献１参照）。【０００６】
また、ガラスの熱線と反対側から冷却エアーを噴射させながら移動させて、且つガラス全体に切断方向の引張力を作用させて一端面からのクラックを切断線に沿って進展させてガラスを分断する方法が示されている（例えば、特許文献１、非特許文献１のＰ１１７参照）。【０００７】
また、他の先行技術として、ガラス基板の切断線に沿ってスポット熱源を移動させながら、同時にガラス基板全体に切断方向の引張力を作用させて熱応力クラックを切断線に沿って進展させてガラス基板を分断する方法もある（例えば、特許文献２参照）。【０００８】
さらに、他の先行技術として、ガラス板の表面部にレーザ光を集光し、その集光点を加工目的の形状に沿って走査することで熱応力によってスクライビングを施し、その部位にレーザ光で熱歪みを与えてガラス板を割断するものもある（例えば、特許文献３参照）。
【先行技術文献】
【非特許文献】
【０００９】
【非特許文献１】「熱応力によるぜい性帯板材料の割断加工に関する研究」  長崎大学  大学院  海洋生産科学研究科  沢田 博司  １９９８年１２月、Ｐ１０３−１０７、Ｐ１１７、Ｐ１２０
【特許文献】
【００１０】
【特許文献１】特開平１１−１５７８６３号公報
【特許文献２】特開２０１１−８４４２３号公報
【特許文献３】特開平５−３２４２８号公報
【発明の概要】
【発明が解決しようとする課題】
【００１１】
しかしながら、上記非特許文献１の方法では、一端面の傷からクラックを進行させるために熱線による加熱と同時に切断線に沿ってガラス板全体に切断方向の引張力を作用させる必要があり、小型のガラスでは可能でも、１０００ｍｍ以上の大型ガラスでは切断線に沿って力を作用させることが難しい。さらに、クラックの進展速度が遅く、生産性が低い。【００１２】
また、上記非特許文献１のＰ１１７、及び特許文献１の方法では、クラックの進展を促進するために冷却エアーを噴射させながら移動させているが、これでも分断速度は遅く、大型ガラスでは生産性が上がらない。【００１３】
また、上記特許文献２に記載された方法の場合、上記非特許文献１と同様に、切断方向の力を作用させることは大型ガラスのような板材に適用することは難しい。しかも、移動するスポット熱源を利用しているため、上記非特許文献１よりも装置が複雑になる。【００１４】
さらに、上記特許文献３に記載された方法の場合には、ガラス板の物性値の影響を大きく受け、ガラス板の厚さ、種類などが変わると条件探索の必要がある。その上、熱応力クラックの創生に時間を要し、処理速度が遅く生産性が低い。生産性を上げるためには分断装置が別に必要になり、設備が大型化する。【００１５】
しかも、上記特許文献２，３に記載されるようなレーザ光を用いる分断装置の場合、レーザ光を照射する装置が大型になるとともに、レーザ光を照射する角度などの管理が難しい。そのため、広い設置スペースと多くの費用を要する。【００１６】
そこで、本願発明は、脆性材料の板材の分断時に分断塵の発生を抑えるとともに、生産性を上げることができるコンパクトな分断方法と、その分断方法を実行可能な分断装置を提供することを目的とする。
【課題を解決するための手段】
【００１７】
上記目的を達成するために、本願発明に係る脆性材料の板材の分断方法は、脆性材料からなる板材を分断計画線に沿って分断する分断方法であって、前記分断計画線上で前記板材の第１主面に微小な起点疵を形成する疵形成工程と、前記分断計画線を挟む当該分断計画線と平行な一対の線上で前記板材の第１主面を押える押え工程と、前記分断計画線に沿って延びる分断部材であって前記板材を接触加熱又は接触冷却する分断部材を前記板材に接触させて前記板材の第１主面に引張熱応力を発生させるとともに、前記分断計画線に沿って前記板材の第１主面と反対を向く第２主面に板厚方向の曲げ力を付与することにより、前記曲げ力による引張応力と前記引張熱応力とを重畳させて前記板材を前記分断計画線に沿って分断する分断工程と、を有することを特徴とする。この明細書及び特許請求の範囲の書類中における「熱応力」は、加熱又は冷却した分断部材を接触させることにより、脆性材料の板材の内部に生じる熱歪みの応力をいう。また、「微小」とは、数ミリ（例えば、５ｍｍ）以下の疵のことをいう。さらに、「曲げ力を付与する」とは、分断計画線と平行な一対の線上で板材の第１主面を押えながら分断計画線上で板材の第２主面を押し上げて板材に所要の板厚方向の曲げ変形を生ぜしめることをいう。【００１８】
この構成により、脆性材料の板材を接触加熱又は接触冷却する分断部材を分断計画線に沿って板材に接触させることで、起点疵が形成された板材の第１主面に引張熱応力を発生させることができる。例えば、板材の第２主面を接触加熱する分断部材を板材の第２主面に接触させた場合には、第２主面と第１主面との温度差により、板材の第２主面には分断計画線に沿って熱膨張による圧縮熱応力が生じ、第１主面にはその反力で引張熱応力が生じる。あるいは、板材の第１主面を接触冷却する分断部材を板材の第１主面に接触させた場合には、第１主面と第２主面との温度差により、板材の第１主面には分断計画線に沿って熱収縮による引張熱応力が生じ、第２主面にはその反力で圧縮熱応力が生じる。さらに、分断計画線に沿って板材の第２主面に板厚方向の曲げ力が付与されると、その曲げ力による引張応力と上記の引張熱応力とが板材の第１主面上で重畳され、これにより起点疵からクラックが分断計画線に沿って進行する。なお、曲げ力の付与は、引張熱応力の発生の前であっても後であってもよいし、引張熱応力の発生と同時であってもよい。その結果、板材を分断計画線に沿って分断することができる。この方法によれば、分断は瞬時に行われて生産性を上げることができる。その上、板材の第１主面には微小な起点疵を形成するだけでよく、機械的な溝の形成や機械的な分断がないため、板材の分断時に分断屑の発生を抑えることができる。しかも、分断した板材を洗浄する必要がなく、板材の分断を非常にシンプルな装置で行うことができる。【００１９】
また、前記分断部材は、前記板材の第２主面側に配置された、前記板材の第２主面を接触加熱するものであり、前記分断部材を前記板材の第２主面に接触させて前記板材の第１主面に引張熱応力を発生させ、前記分断部材を前記板材に押圧することによって、前記板材の第２主面に板厚方向の曲げ力を付与してもよい。【００２０】
このように構成すれば、板材の第２主面を接触加熱する分断部材を分断計画線に沿って板材の第２主面に接触させるとともに板材に押圧することで、板材の第２主面には、分断計画線に沿って熱膨張による圧縮熱応力と曲げ力による圧縮応力が作用し、第１主面には熱膨張の反力による引張熱応力と曲げ力による引張応力が作用するので、分断計画線に沿って生じるこれらの応力で板材を分断することができる。しかも、板材の第２主面を接触加熱する分断部材を利用して、板材の第２主面に曲げ力を付与することができる。【００２１】
また、前記分断工程では、前記分断部材を前記板材の第２主面に接触させるとともに、前記板材の第１主面側に配置された、前記分断計画線に沿って延びる第２の分断部材であって前記板材の第１主面を接触冷却する第２の分断部材を、前記板材の第１主面に接触させてもよい。【００２２】
このように構成すれば、板材の第１主面には、分断部材の第２主面近傍の加熱に起因する熱膨張の反力による引張熱応力と曲げ力による引張応力に加え、第２の分断部材の第１主面近傍の冷却に起因する熱収縮による引張熱応力が作用するので、分断計画線に沿ってより大きな応力を生じさせて板材を分断することができる。【００２３】
また、前記分断部材は、前記板材の第１主面側に配置された、前記板材の第１主面を接触冷却するものであり、前記分断工程では、前記分断部材を前記板材の第１主面に接触させるとともに、前記分断部材と対向して配置された押圧部材であって前記分断計画線に沿って延びる押圧部材を、前記分断部材に抗して前記板材に押圧することによって、前記板材の第２主面に板厚方向の曲げ力を付与してもよい。【００２４】
このように構成すれば、板材の第１主面を接触冷却する分断部材を分断計画線に沿って板材の第１主面に接触させることで、第１主面には熱収縮による引張熱応力が生じる。また、押圧部材を分断計画線に沿って板材に押圧することで、第１主面には曲げ力による引張応力が生じる。それ故に、それらの応力によって分断計画線に沿って板材を分断することができる。【００２５】
また、前記分断工程では、前記板材を分断計画線と直交する方向に引っ張るようにしてもよい。【００２６】
このように構成すれば、板材の第１主面に作用する引張熱応力と曲げ力による引張応力にさらに引張力による引張応力を重畳させて、板材を分断計画線に沿って分断することができる。【００２７】
例えば、板材を接触加熱又は接触冷却する分断部材を板材に接触させるのと同時に板材を分断計画線と直交する方向に引っ張ってもよい。このように構成すれば、引張熱応力と同時に引張力による引張応力を重畳させて、板材を分断計画線に沿ってより短時間で分断することができる。【００２８】
また、前記起点疵を、前記板材の端部に形成してもよい。【００２９】
このように構成すれば、板材を起点疵側の端部から割くように分断することができ、板材を分断計画線に沿ってスムーズに分断することができる。【００３０】
一方、１つの側面からの、本願発明に係る脆性材料の板材の分断装置は、脆性材料からなる板材であって分断計画線上で当該板材の第１主面に微小な起点疵が形成された板材を前記分断計画線に沿って分断する分断装置であって、前記分断計画線を挟む当該分断計画線と平行な一対の線上で前記板材の第１主面を押える一対の押え部材と、前記板材の第１主面と反対を向く第２主面側に配置された、前記分断計画線に沿って延び、前記板材の第２主面を接触加熱する分断部材と、前記分断部材を前記板材の第２主面に接触させて前記板材の第１主面に引張熱応力を発生させるとともに、前記分断部材を前記板材に押圧して前記分断計画線に沿って前記板材の第２主面に板厚方向の曲げ力を付与することによって、前記曲げ力による引張応力と前記引張熱応力とが重畳されて前記板材が前記分断計画線に沿って分断されるように、前記分断部材を駆動する駆動機と、を備えることを特徴とする。【００３１】
この構成により、脆性材料の板材の第２主面を接触加熱する分断部材を分断計画線に沿って板材の第２主面に接触させることで、第２主面と第１主面の温度差により、板材の第２主面には分断計画線に沿って熱膨張による圧縮熱応力が生じ、第１主面にはその反力で引張熱応力が生じる。さらに、分断計画線に沿って板材の第２主面に板厚方向の曲げ力が付与されると、その曲げ力による引張応力と上記の引張熱応力とが板材の第１主面上で重畳され、これにより起点疵からクラックが分断計画線に沿って進行する。その結果、板材を分断計画線に沿って分断することができる。この装置によれば、分断は瞬時に行われて生産性を上げることができる。その上、板材の第１主面には微小な起点疵を形成するだけでよく、機械的な溝の形成や機械的な分断がないため、板材の分断時に分断屑の発生を抑えることができる。しかも、分断した板材を洗浄する必要がなく、板材の分断を非常にシンプルな装置で行うことができる。【００３２】
さらに、上記の構成では、板材の第２主面を接触加熱する分断部材を板材の分断計画線に沿って板材の第２主面に接触させるとともに板材に押圧することで、板材の第２主面には、分断計画線に沿って熱膨張による圧縮熱応力と曲げ力による圧縮応力が作用し、第１主面には熱膨張の反力による引張熱応力と曲げ力による引張応力が作用するので、分断計画線に沿って生じるこれらの応力で板材を分断することができる。しかも、板材を加熱する分断部材を利用して、板材の第２主面に曲げ力を付与することができる。【００３３】
また、前記分断装置は、前記板材の第１主面側に配置された、前記分断計画線に沿って延びる第２の分断部材であって、前記板材の第１主面に接触させられて前記板材の第１主面を接触冷却する第２の分断部材をさらに備えてもよい。【００３４】
このように構成すれば、板材の第１主面には、分断部材の第２主面近傍の加熱に起因する膨張力の反力による引張熱応力と曲げ力による引張応力に加え、第２の分断部材の第１主面近傍の冷却に起因する熱収縮による引張熱応力が作用するので、分断計画線に沿ってより大きな応力を生じさせて板材を分断することができる。【００３５】
また、他の側面からの、本願発明に係る脆性材料の板材の分断装置は、脆性材料からなる板材であって分断計画線上で当該板材の第１主面に微小な起点疵が形成された板材を前記分断計画線に沿って分断する分断装置であって、前記分断計画線を挟む当該分断計画線と平行な一対の線上で前記板材の第１主面を押える一対の押え部材と、前記板材の第１主面側に配置された、前記分断計画線に沿って延び、前記板材の第１主面を接触冷却する分断部材と、前記分断部材を前記板材の第１主面に接触させて前記板材の第１主面に引張熱応力を発生させるように、前記分断部材を駆動する第１駆動機と、前記分断部材と対向して配置された押圧部材であって前記分断計画線に沿って延びる押圧部材と、前記押圧部材を前記分断部材に抗して前記板材に押圧して前記分断計画線に沿って前記板材の第１主面と反対を向く第２主面に板厚方向の曲げ力を付与することによって、前記曲げ力による引張応力と前記引張熱応力とが重畳されて前記板材が前記分断計画線に沿って分断されるように、前記押圧部材を駆動する第２駆動機と、を備えることを特徴とする。【００３６】
この構成により、脆性材料の板材の第１主面を接触冷却する分断部材を分断計画線に沿って板材の第１主面に接触させることで、第１主面と第２主面の温度差により、板材の第１主面には分断計画線に沿って熱収縮による引張熱応力が生じ、第２主面にはその反力で圧縮熱応力が生じる。さらに、分断計画線に沿って板材の第２主面に板厚方向の曲げ力が付与されると、その曲げ力による引張応力と上記の引張熱応力とが板材の第１主面上で重畳され、これにより起点疵からクラックが分断計画線に沿って進行する。その結果、板材を分断計画線に沿って分断することができる。この装置によれば、分断は瞬時に行われて生産性を上げることができる。その上、板材の第１主面には微小な起点疵を形成するだけでよく、機械的な溝の形成や機械的な分断がないため、板材の分断時に分断屑の発生を抑えることができる。しかも、分断した板材を洗浄する必要がなく、板材の分断を非常にシンプルな装置で行うことができる。【００３７】
さらに、上記の構成では、板材の第１主面を接触冷却する分断部材を分断計画線に沿って板材の第１主面に接触させることで、第１主面には熱収縮による引張熱応力が生じる。また、押圧部材を分断計画線に沿って板材に押圧して曲げ力を付与することで、第１主面には曲げ力による引張応力が生じる。それ故に、それらの応力によって分断計画線に沿って板材を分断することができる。【００３８】
また、前記分断装置は、前記板材を分断計画線と直交する方向に引っ張る引張機をさらに備えてもよい。【００３９】
このように構成すれば、板材の第１主面に作用する引張熱応力と曲げ力による引張応力にさらに引張力による引張応力を重畳させて、板材を分断計画線に沿って分断することができる。【００４０】
例えば、前記引張機は、板材を接触加熱又は接触冷却する分断部材を板材に接触させるのと同時に板材を分断計画線と直交する方向に引っ張るように構成されていてもよい。このように構成すれば、引張熱応力と同時に引張力による引張応力を重畳させて、板材を分断計画線に沿ってより短時間で分断することができる。この場合、分断装置を縦型とし、板材を立てた状態にしてこれらの動作を行うと、上記の引張力は自重を利用することができるので、分断装置をシンプルな装置にできる。【００４１】
また、前記分断装置は、前記分断計画線上で前記板材の第１主面に前記起点疵を形成する疵形成手段をさらに備えてもよい。【００４２】
このように構成すれば、１つの分断装置で、本願発明の分断方法の疵形成工程から分断工程までを実現することができる。【００４３】
また、前記板材の第２主面を接触加熱する前記分断部材は、前記板材に接する部分が、該板材が分断計画線に沿って分断されるときの屈曲角よりも小さい接触角度を有する形状に形成されていてもよい。あるいは、前記押圧部材は、前記板材に接する部分が、当該板材が前記分断計画線に沿って分断されるときの屈曲角よりも小さい接触角度を有する形状に形成されていてもよい。【００４４】
このように構成すれば、分断部材又は押圧部材が板材の分断計画線に沿って接した状態を保って脆性破壊させることができ、分断計画線に沿った分断が安定してできる。
【発明の効果】
【００４５】
本願発明によれば、板材の分断時に分断塵の発生を抑えることができ、装置構成の少ないコンパクトな分断装置を構成することが可能となる。
【図面の簡単な説明】
【００４６】
【図１】図１は本願発明の第１実施形態に係る板材の分断装置を示す斜視図である。
【図２】図２は図１に示す分断装置の側面図である。
【図３Ａ】図３Ａは図１に示す分断部材の断面図である。
【図３Ｂ】図３Ｂは分断部材の他の断面例を示す図面である。
【図３Ｃ】図３Ｃは分断部材の他の断面例を示す図面である。
【図３Ｄ】図３Ｄは分断部材の他の断面例を示す図面である。
【図４】図４は図２に示す分断装置によるガラス板の分断時に生じる作用を示す拡大側面図である。
【図５Ａ】図５Ａは起点疵の位置の一例を示す板材の斜視図である。
【図５Ｂ】図５Ａは起点疵の位置の別の例を示す板材の斜視図である。
【図６】図６は本願発明の第２実施形態に係る板材の分断装置を示す側面図である。
【図７】図７は本願発明の第３実施形態に係る板材の分断装置を示す側面図である。
【図８】図８は図７に示す分断装置によるガラス板の分断時に生じる作用を示す拡大側面図である。
【図９】図９は本願発明の第４実施形態に係る板材の分断装置を示す側面図である。
【図１０Ａ】図１０Ａは図１に示す分断部材の斜視図である。
【図１０Ｂ】図１０Ｂは分断部材の他の例を示す斜視図である。
【図１０Ｃ】図１０Ｃは分断部材の他の例を示す斜視図である。
【図１０Ｄ】図１０Ｄは分断部材の他の例を示す斜視図である。
【発明を実施するための形態】
【００４７】
以下、本願発明の実施形態を図面に基づいて説明する。以下の実施形態でも、脆性材料からなる板材としてガラス板１を例に説明する。また、板材の分断装置における主要な構成とその作用を説明し、具体的な機構などの記載は省略する。
【００４８】
（第１実施形態）
図１，２に示す第１実施形態に係る板材の分断装置１０は、ガラス板１を接触加熱する分断部材１１を用いてガラス板１を分断計画線２に沿って分断する例である。分断計画線２は、例えば、仮想線である。
【００４９】
ガラス板１は、分断計画線２上で微小な起点疵１６が形成される第１主面１ａと、第１主面１ａと反対を向く第２主面１ｂを有する。本実施形態では、ガラス板１が水平面と平行な状態で分断されるため、第１主面１ａが上面、第２主面１ｂが下面である。ただし、ガラス板１は、例えば鉛直方向と水平であり、第１主面１ａ及び第２主面１ｂの双方が水平方向を向いていてもよい。
【００５０】
ガラス板１は、図示する左方向から右方向の搬送方向Ｆに搬送される。図示する搬送装置３は、ガラス板１を気体で浮上させて搬送する例を示している。搬送装置３は、例えばローラなどを用いた他の構成であってもよい。
【００５１】
上記搬送装置３で搬送されるガラス板１は、所定位置に停止させられて分断部材１１によって接触加熱された後に分断される。分断部材１１は、ガラス板１の第２主面１ｂ側である下方に配置され、搬送方向Ｆと交差するように設けられている。この実施形態の分断部材１１は、ガラス板１の搬送方向Ｆと直交する分断計画線２に沿って延びている。
【００５２】
また、分断部材１１は、駆動機１２によってガラス板１に向けて進退可能に構成されており、この駆動機１２によって上向き又は下向きに駆動される。分断部材１１は、駆動機１２によって上向きに駆動されることにより、ガラス板１に向けて押圧させられる。駆動機１２は、分断部材１１を正確に進退させるものであればよく、例えば、リニアアクチュエータなどを用いることができる。
【００５３】
さらに、分断部材１１は、当該分断部材１１の表面近傍を所定の加熱温度まで加熱する加熱装置１３と接続されている。分断部材１１は、ガラス板１の第２主面１ｂに接触させられることにより、第２主面１ｂにおける当該分断部材１１と接する部分を自身とほぼ同じ温度に加熱する。この加熱装置１３で加熱される分断部材１１としては、例えば、シーズヒータを用いることができる。分断部材１１の所定の加熱温度は、例えば、１００℃〜４００℃程度である。この加熱温度は、板材に応じて決定される。
【００５４】
上記分断部材１１の断面形状としては、図３Ａに示す円形断面以外に、図３Ｂに示すように三角形、図３Ｃに示すように矩形、また、図３Ｄに示すように、ガラス板１と接する部分を尖らせた形状などにすることができる。分断部材１１の断面形状は、ガラス板（板材）１と接触する部分が、ガラス板１が分断されるときの屈曲角よりも小さい接触角度を有する形状に設定される。
【００５５】
一方、図１，２に示すように、ガラス板１の第１主面１ａ側である上方には、上記分断計画線２と平行な一対の線上でガラス板１の第１主面１ａを押える一対の押え部材１４，１５が設けられている。この実施形態の押え部材１４，１５は、分断計画線２を挟んだ両側でガラス板１を押えるように配設されている。この押え部材１４，１５は、図示しない駆動機によって昇降させられる。押え部材１４，１５としては、例えば、樹脂やゴムで棒状に形成された部材が用いられる。
【００５６】
また、図１に示すように、本実施形態では、分断装置１０が、分断計画線２上でガラス板１の第１主面１ａに微小な起点疵（スクライブ）１６を形成する疵形成手段１７を有している。起点疵１６は、ガラス板１の端部に形成されることが望ましい。ガラス板１を起点疵１６側の端部から割くように分断することができ、ガラス板１を分断計画線２に沿ってスムーズに分断することができるからである。ここで、「ガラス板１の端部」とは、分断計画線２の延在方向においてガラス板１を三等分したときの両側部分をいう。例えば、起点疵１６は、図５Ａに示すようにガラス板１の第１主面１ａと端面１ｃのコーナーに形成されてもよいし、図５Ｂに示すようにガラス板１の端面１ｃから僅かに内側に入り込んだ位置に形成されてもよい。なお、疵形成手段１７が起点疵１６を形成するタイミングは、押え部材１４，１５がガラス板１の第１主面１ａを押える前であってもよいし押えた後であってもよい。
【００５７】
例えば、疵形成手段１７は、ガラス板１の端部に微小な起点疵１６として１〜２ｍｍ程度の刻み線を入れてもよいし、点状の疵を入れてもよい。本実施形態では、疵形成手段１７として、分断計画線２が分断部材１１の位置に達する前に、横方向から起点疵１６を入れるカッタが採用されている。
【００５８】
上記搬送装置３で所定の位置に停止させられた、第１主面１ａに起点疵１６が形成されたガラス板１は、押え部材１４，１５によって搬送装置３に向けて押えられ、その状態で、所定の加熱温度まで加熱された分断部材１１が分断計画線２に沿ってガラス板１の第２主面１ｂに接触させられる。これにより、ガラス板１の第２主面１ｂと第１主面１ａの間に大きな温度勾配が形成される。その結果、第２主面１ｂには、熱膨張による圧縮熱応力が発生し、第１主面１ａには、熱膨張の反力による引張熱応力が発生する。
【００５９】
その後、ガラス板１の第１主面１ａと第２主面１ｂの温度差が大きく保たれている間、換言すれば、熱伝導により第１主面１ａの温度が第２主面１ｂの温度に近づく前に、分断部材１１がガラス板１に押圧される。これにより、図４に示すように、ガラス板１の第２主面１ｂには、分断計画線２に沿って板厚方向の曲げ力Ａが付与される。そして、脆性材料からなるガラス板１は、この曲げ力による応力と分断部材１１による熱応力とにより分断計画線２で分断される。
【００６０】
さらに、図１に示すように、ガラス板（板材）１を分断計画線２と直交する方向に引っ張る引張機６０（二点鎖線で示す）を設けてもよい。引張機６０は、分断計画線２を挟んでガラス板（板材）１を互いに逆方向に引っ張ることができるものであればよい。この例では、ガラス板１の端部を把持して引っ張る例である。この引張機６０により、ガラス板１への分断部材１１の押圧前又は押圧と同時にガラス板１に引張力を与えて、分断計画線２に沿ってガラス板１を分断するようにしてもよい。この場合、ガラス板（板材）１によっては、以下に説明するように、分断計画線２に沿って分断部材１１で加熱するのと同時に、上記引張機６０で引張力を与えるのみとしてもよい。なお、第３実施形態で説明するように、ガラス板１を冷却する分断部材３１（図７参照）をガラス板１の第１主面１ａに接触させる場合には、分断部材３１の接触前に引張機６０で引張力を与えるようにすればよい。このように引張力を与えることで、ガラス板１の分断計画線２に沿って生じる分断部材３１による熱応力と引張力による引張応力とによってガラス板（板材）１を分断することができる。
【００６１】
この引張機６０は、分断装置１０を縦型として、ガラス板（板材）１を分断計画線２が水平方向と平行となるように立てた状態で行えば、ガラス板（板材）１の自重を引張力として利用することができる。但し、この場合、押え部材１４，１５及びその対向部材（上記搬送装置３に相当；図示なし）はころがり軸受の入ったローラで軽く押えるものとする。または、押え部材１４，１５は、ガラス板１を押えるのではなく、僅かの隙間をあけてガラス板１の変形を規制するだけでもよい。
【００６２】
図４は、上記分断装置１０によるガラス板１の分断時に生じる作用を示す拡大側面図である。この図では、分断部材１１をガラス板１に押圧したときの変化を誇張して示している。
【００６３】
上記したように、ガラス板１の第２主面１ｂに分断計画線２に沿って分断部材１１を接触させると、ガラス板１が分断計画線２に沿って第２主面１ｂ側から加熱（熱を円弧で示す）され、第２主面１ｂと第１主面１ａとの温度差により、第２主面１ｂには熱膨張による圧縮熱応力が生じ、第１主面１ａには熱膨張の反力による引張熱応力が生じる。その後、分断部材１１をガラス板１に押圧させると、ガラス板１の第２主面１ｂには分断計画線２に沿って板厚方向の曲げ力Ａが付与され、ガラス板１には分断部材１１と接する位置で最大となるモーメントが作用する。これにより、ガラス板１の第２主面１ｂには圧縮応力が作用し、第１主面１ａには引張応力が作用する（矢印で示す）。
【００６４】
そのため、ガラス板１の分断計画線２に沿って、第２主面１ｂには熱膨張による圧縮熱応力に曲げ力Ａによる圧縮応力が重畳され、第１主面１ａには第２主面１ｂの熱膨張の反力による引張熱応力に曲げ力Ａによる引張応力が重畳されて、第１主面１ａに形成された起点疵１６からクラックが分断計画線２に沿って進行する。これにより、脆性材料からなるガラス板１は、分断計画線２に沿って脆性破壊によって分断される。つまり、ガラス板１は、分断部材１１の加熱による表裏の温度差から生じる熱応力と、分断部材１１によるガラス板１の曲げ力Ａによる応力が重畳されて破壊応力に達し、分断される。しかも、それらの応力によって瞬時（例えば、１〜３秒程度）に分断することができる。
【００６５】
このように、分断部材１１の軸線をガラス板１に分断計画線２に沿って接触させると同時に、ガラス板１に分断計画線２に沿って曲げモーメントを作用させることで、ガラス板１を分断部材１１の軸線（分断計画線２）に沿って瞬間的に分断することができる。
【００６６】
従って、上記分断装置１０によれば、ガラス板（板材）１の分断時に分断塵の発生を抑えることができるとともに、装置構成の少ないコンパクトな分断装置を構成することが可能となる。
【００６７】
（第２実施形態）
図６は、第２実施形態に係る板材の分断装置を示す斜視図である。この第２実施形態の分断装置２０は、ガラス板１を接触加熱する分断部材２１をガラス板１の第２主面１ｂ側である下方の固定位置に配置し、第１主面１ａ側である上方からガラス板１の端部を分断部材２１に向けて押し下げることで、ガラス板１を分断計画線２に沿って分断するようにしている。
【００６８】
この実施形態では、搬送装置３から搬送方向に所定距離離れた位置で、搬送されるガラス板１の第２主面１ｂから所定量（例えば、数ｍｍ）下方に分断部材２１が配置されている。この分断部材２１の配置位置は、以下のように分断するガラス板（板材）１の厚さや曲げ強さなどに応じて決定される。分断部材２１は、固定式である点を除いて第１実施形態の分断部材１１と同様に構成されている。
【００６９】
一方、ガラス板１の第１主面１ａ側である上方には、分断計画線２を挟む当該分断計画線２と平行な一対の線上でガラス板１の第１主面１ａを押える一対の押え部材２４，２５が設けられている。押え部材２４，２５は、駆動機（一方の押え部材２５用の駆動機２２のみ図示）によって昇降させられる。この実施形態では、ガラス板１の搬送方向後方に設けられた押え部材２４用の駆動機は、僅かなストロークで押え部材２４を昇降させることによって定位置でガラス板１を押え、搬送方向前方に設けられた押え部材２５用の駆動機２２は、ガラス板１の前端部を分断部材２１に向けて押し下げることができる大きなストロークを有している。
【００７０】
従って、この実施形態の分断装置２０によれば、ガラス板１は、端部を搬送装置３から所定量突出させ、分断計画線２が分断部材２１と合致する位置（以下のように分断される位置）で停止させられる。そして、ガラス板１の前端部が押え部材２５で分断部材２１に向けて押し下げられ、ガラス板１の第２主面１ｂが分断部材２１に接触させられる。これにより、ガラス板１が分断計画線２に沿って第２主面１ｂ側から加熱され、第２主面１ｂと第１主面１ａとの温度差により、第２主面１ｂには熱膨張による圧縮熱応力が発生し、第１主面１ａには熱膨張の反力による引張熱応力が発生する。
【００７１】
その後、ガラス板１の前端部が押え部材２５によってさらに押し下げられることにより、分断部材２１がガラス板１に押圧される。これにより、上記第１実施形態と同様に、ガラス板１の第２主面１ｂには分断計画線２に沿って板厚方向の曲げ力Ａが付与され、脆性材料からなるガラス板１は、この曲げ力による応力と、分断部材２１の加熱による熱応力とにより（正確には、起点疵１６が形成された第１主面１ａでの曲げ応力による引張応力の引張熱応力への重畳により）、分断計画線２で分断される。
【００７２】
しかも、この実施形態の場合、ガラス板１の一端を分断部材２１に向けて押し下げて分断するため、分断計画線２に沿って分断されたガラス板１は、分断した瞬間に押え部材２４側と同じ高さ位置に跳ね戻る。そのため、分断後に分断部材２１をガラス板１から退避させる動作が不要となる。
【００７３】
（第３実施形態）
図７は、本願発明の第３実施形態に係る板材の分断装置を示す側面図である。この実施形態の分断装置３０は、ガラス板１を接触冷却する分断部材３１を用いてガラス板１を分断計画線２に沿って分断する例である。なお、上記第１実施形態と同様の構成は、その詳細な説明を省略する。
【００７４】
図示するように、ガラス板１の第１主面１ａ側である上方には、分断計画線２を挟む当該分断計画線２と平行な一対の線上でガラス板１の第１主面１ａを押える一対の押え部材３４，３５が設けられている。また、ガラス板１の上方には、ガラス板１の第１主面１ａを接触冷却する分断部材３１が配置され、搬送方向Ｆと交差するように設けられている。この分断部材３１も、ガラス板１の搬送方向Ｆと直交する分断計画線２に沿って延びている。分断部材３１は、図示しない冷却装置（図１に示す加熱装置１３と同様）に接続され、液体窒素、ドライアイス又は冷凍装置の冷媒などを用いて所定の冷却温度まで冷却される。分断部材３１は、ガラス板１の第１主面１ａに接触させられることにより、第１主面１ａにおける当該分断部材３１と接する部分を自身とほぼ同じ温度に冷却する。分断部材３１の所定の冷却温度は、例えば、＋２０℃〜−５０℃程度である。冷却温度は、板材の温度に応じて決定される。
【００７５】
上記分断部材３１は、ガラス板１と接触又は離間させる第１駆動機３２で進退させられる。すなわち、第１駆動機３２は、分断部材３１を上向き又は下向きに駆動する。
【００７６】
一方、ガラス板１の第２主面１ｂ側である下方には、ガラス板１を分断計画線２に沿って押圧する押圧部材３６が設けられている。この押圧部材３６は、分断部材３１と対向して配置されており、分断部材３１と同様に分断計画線２に沿って延びている。押圧部材３６は、下方に設けられた第２駆動機３７で進退可能に構成されており、第２駆動機３７によって上向き又は下向きに駆動される。押圧部材３６は、第２駆動機３７によって上向き駆動されることにより、ガラス板１に接触した分断部材３１に抗してガラス板１に押圧される。第１駆動機３２及び第２駆動機３７も、例えば、リニアアクチュエータなどを用いることができる。押圧部材３６の断面形状は、ガラス板（板材）１と接触する部分が、ガラス板１が分断されるときの屈曲角よりも小さい接触角度を有する形状に設定される。
【００７７】
図８は、図７に示す分断装置３０によるガラス板１の分断時に生じる作用を示す拡大側面図である。この図では、分断部材３１をガラス板１に接触させ、かつ、押圧部材３６をガラス板１に押圧したときの変化を誇張して示している。
【００７８】
上記したように、第１駆動機３２を使用してガラス板１の第１主面１ａに分断計画線２に沿って分断部材３１を接触させると、ガラス板１が分断計画線２に沿って第１主面１ａ側から冷却（熱を円弧で示す）され、第１主面１ａと第２主面１ｂとの温度差により、第１主面１ａには熱収縮による引張熱応力が生じ、第２主面１ｂには熱収縮の反力による圧縮熱応力が生じる。その後、第２駆動機３７を使用してガラス板１を挟んで分断部材３１と反対側から分断計画線２に沿って押圧部材３６をガラス板１に押圧することで、ガラス板１の第２主面１ｂには分断計画線２に沿って板厚方向の曲げ力Ａが付与され、ガラス板１には押圧部材３６と接する位置で最大となるモーメントが作用する。これにより、ガラス板１の第２主面１ｂには圧縮応力が作用し、第１主面１ａには引張応力が作用する。
【００７９】
そのため、ガラス板１の分断計画線２に沿って、第１主面１ａには熱収縮による引張熱応力に曲げ力Ａによる引張応力が重畳され、第２主面１ｂには第１主面１ａの熱収縮の反力による圧縮熱応力に曲げ力Ａによる圧縮応力が重畳されて、第１主面１ａに形成された起点疵１６からクラックが分断計画線２に沿って進行する。これにより、脆性材料からなるガラス板１は、分断計画線２に沿って脆性破壊されて分断される。つまり、ガラス板１は、分断部材３１の冷却によるガラス板１の表裏の温度差から生じる熱応力と、押圧部材３６によるガラス板１の曲げ力Ａによる応力が重畳されて破壊応力に達し、分断される。しかも、それらの応力によって瞬時（例えば、１〜３秒程度）に分断することができる。
【００８０】
このように、ガラス板１の第１主面１ａを接触冷却する分断部材３１と押圧部材３６を用いる場合には、分断部材３１及び押圧部材３６の軸線をガラス板１に分断計画線２に沿って接触させると同時に、ガラス板１に分断計画線２に沿って曲げモーメントを作用させることで、ガラス板１を分断部材３１の軸線に沿って瞬間的に分断することができる。
【００８１】
従って、この分断装置３０によっても、ガラス板（板材）１の分断時に分断塵の発生を抑えることができるとともに、装置構成の少ないコンパクトな分断装置を構成することが可能となる。
【００８２】
さらに、このようにガラス板１の第１主面１ａを接触冷却する分断部材３１を用いる実施形態としては、例えば、ガラス板１の場合には、ガラス板１が生成直後には約３００℃〜１００℃の温度を有しているため、その状態のガラス板１に冷却した分断部材３１を接触させるようにしてもよい。この場合、ガラス板１の温度と分断部材３１との温度差によって、容易に分断することができる。この場合、製造段階においてガラス板１を所定の大きさに分断することもできるので、ガラス板１の製造工程の効率化を図ることができ、所定の大きさのガラス板１を分断するための作業の効率向上が可能となる。
【００８３】
（第４実施形態）
図９は、本願発明の第４実施形態に係る板材の分断装置を示す斜視図である。この実施形態の分断装置４０は、上記第１実施形態における接触加熱と、上記第３実施形態における接触冷却とを組合わせたものである。なお、上記第１実施形態及び第２実施形態と同様の構成は、その詳細な説明を省略する。
【００８４】
図示するように、この実施形態の分断装置４０は、ガラス板１を、分断計画線２に沿って、起点疵１６が形成された第１主面１ａ側から冷却し、第２主面１ｂ側から加熱している。ガラス板１の第２主面１ｂを接触加熱する第１分断部材４１は、ガラス板１の第２主面１ｂ側である下方に配置され、ガラス板１の搬送方向Ｆと直交する分断計画線２に沿って延びている。一方、ガラス板１の第１主面１ａを接触冷却する第２分断部材４６（本願発明の第２の分断部材に相当）は、ガラス板１の第１主面１ａ側である上方に配置され、搬送方向Ｆと直交する分断計画線２に沿って延びている。これらの第１分断部材４１及び第２分断部材４６は、それぞれ第１駆動機４２及び第２駆動機４７によってガラス板１に向けて進退可能となっている。第１駆動機４２は、第１実施形態の駆動機１２（図２参照）と同様に構成され、第２駆動機３７は、第３実施形態の第１駆動機３２（図７参照）と同様に構成されている。ガラス板１の上方には、分断計画線２を挟む当該分断計画線２と平行な一対の線上でガラス板１の第１主面１ａを押える一対の押え部材４４，４５が設けられている。
【００８５】
このような第４実施形態の分断装置４０によれば、ガラス板１の第１主面１ａには分断計画線２に沿って、ガラス板１の第１主面１ａを接触冷却する第２分断部材４６が接触させられ、同時にガラス板１の第２主面１ｂには分断計画線２に沿ってガラス板１の第２主面１ｂを接触加熱する第１分断部材４１が接触させられる。その後、第１分断部材４１が第２分断部材４６に抗してガラス板１に押圧される。これにより、ガラス板１の第２主面１ｂには分断計画線２に沿って第１分断部材４１の第２主面１ｂ近傍の加熱に起因する熱膨張による圧縮熱応力と曲げ力による圧縮応力が作用し、第１主面１ａには分断計画線２に沿って第２分断部材４６の第１主面１ａ近傍の冷却に起因する熱収縮による引張熱応力と曲げ力による引張応力が作用する。そして、ガラス板１はこれらの応力が重畳されて破壊応力に達し、分断計画線２に沿って瞬時に分断される。
【００８６】
しかも、第１主面１ａには、第１分断部材４１の第２主面１ｂ近傍の加熱に起因する熱膨張の反力による引張熱応力と曲げ力による引張応力に加え、第２分断部材４６の第１主面１ａ近傍の冷却に起因する熱収縮による引張熱応力が作用するので、分断計画線２に沿ってより大きな応力を生じさせてガラス板１を分断することができる。また、本実施形態のように接触加熱と接触冷却とを併用した場合、温度勾配がさらに大きくとれ、発生する熱応力が大きくなるので、より小さな曲げ力でガラス板１を分断計画線２に沿って分断することが可能となる。その上、分断に要する時間も、より短い時間となる。
【００８７】
（その他の実施形態）
上記分断部材１１，２１，３１，４１，４６のそれぞれ（以下、分断部材５１）としては、上記実施形態と図９Ａに示すように円形断面の部材を用いることができるが、図１０Ｂ〜図１０Ｄに示すような構成としてもよい。
【００８８】
図１０Ｂは、分断部材５１を略三角形断面とした例である。また、図１０Ｃに示すように、分断部材５１は、円形断面のシーズヒータ５２、冷媒管５３等を、矩形状断面の金属容器５４（例えば、ステンレス製容器）に入れたものでもよい。この場合、金属容器５４を２分割等にしてボルト５５で連結することで、シーズヒータ５２、冷媒管５３等を内部に配置することができる。しかも、金属容器５４に入れることにより、金属容器５４のガラス板１との接触部５６（図示する上端部）を機械加工で正確に仕上げることができる。その上、分断時におけるガラス板１との接触角度も任意に設定することができる。
【００８９】
さらに、図１０Ｄに示すように、分断部材５１は、略三角形断面の金属容器５８にシーズヒータ５２、冷媒管５３等を入れたものでもよい。この場合も、金属容器５８のガラス板１との接触部５６（図示する上端部）を機械加工で正確に仕上げることができる。その上、分断時におけるガラス板１との接触角度も任意に設定することができる。
【００９０】
このように、分断部材５１としては、シーズヒータ５２又は冷媒管５３そのものや、シーズヒータ５２又は冷媒管５３を内部に入れたものなどを用いることができる。なお、分断部材は、他の構成としてもよい。
【００９１】
（総括）
以上のように、上記板材の分断装置１０，２０，３０，４０によれば、ガラス板（板材）１を、分断計画線２に沿って接触加熱及び／又は接触冷却することで生じる熱応力と板厚方向の曲げ力による応力とを重畳させて分断することができ、分断塵の発生を抑えた分断が可能となる。しかも、分断塵の発生を抑えることで、分断塵を洗浄するための洗浄装置が不要になるとともに、スクライブ装置も不要になり、ガラス板（板材）１を分断するための構成をコンパクトな構成にでき、装置の小型化と低コスト化を図ることが可能になる。
【００９２】
また、ガラス板（板材）１を分断計画線２に沿って熱応力及び曲げ力による応力で綺麗に分断するため、ガラス板１の分断部分に微小欠けなどがなく、分断後のガラス板１をエッジ強度の高いガラス板１とすることができる。しかも、面取り工程が不要になり、この点でも装置の小型化と低コスト化を図ることが可能になる。
【００９３】
従って、ＦＰＤ業界だけでなく、建材、自動車産業などあらゆる分野において、高品質のガラス板（板材）１を提供することが可能になる。
【００９４】
なお、上記実施形態では、脆性材料の板材としてガラス板１を例に説明したが、板材としては、脆性材料であって熱応力及び曲げ力による応力により分断できるものであれば適用でき、上記実施形態に限定されるものではない。
【００９５】
また、上記実施形態では、脆性材料の板材（ガラス板１）を搬送方向Ｆと直交する分断計画線２で分断する例を説明したが、分断計画線２は直線であれば、搬送方向Ｆに対して所定角度で分断することも可能であり、分断計画線２は搬送方向Ｆと直交するものに限定されるものではない。
【００９６】
また、分断装置は、必ずしも疵形成手段１７を有している必要はなく、ガラス板１が分断装置に送り込まれる前に、分断装置とは別の装置によりガラス板１の第１主面１ａに起点疵１６が形成されてもよい。
【００９７】
さらに、上記実施形態は一例を示しており、各実施形態を組合わせたり、本願発明の要旨を損なわない範囲での種々の変更は可能であり、本願発明は上記実施形態に限定されるものではない。
【産業上の利用可能性】
【００９８】
本願発明に係る板材の分断方法は、液晶ディスプレイ用のガラス板等、高品質を保つ必要がある板材の分断に利用できる。
【符号の説明】
【００９９】
１  ガラス板（脆性材料の板材）
１ａ  第１主面
１ｂ  第２主面
２  分断計画線
３  搬送装置
１０  分断装置
１１  分断部材
１２  駆動機
１３  加熱装置
１４  押え部材
１５  押え部材
１６  起点疵（スクライブ）
１７  疵形成手段
２０  分断装置
２１  分断部材
２２  駆動機
２４  押え部材
２５  押え部材
３０  分断装置
３１  分断部材
３２  第１駆動機
３４  押え部材
３５  押え部材
３６  押圧部材
３７  第２駆動機
４０  分断装置
４１  第１分断部材
４２  第１駆動機
４４  押え部材
４５  押え部材
４６  第２分断部材
４７  第２駆動機
５１  分断部材
５２  シーズヒータ
５３  冷媒管
５４  金属容器
５６  接触部
５８  金属容器
６０  引張機
【要約】
脆性材料の板材の分断方法は、まず分断計画線（２）上で板材（１）の第１主面（１ａ）に微小な起点疵１６を形成し、ついで一対の線上で板材（９）の第１主面（１ａ）を抑える。ついで、例えば、板材（１）の第２主面（１ｂ）を接触加熱する分断部材（１１）を板材（１）の第２主面（１ｂ）に接触させて第１主面（１ａ）に引張熱応力を発生させるとともに、板材（９）の第２主面（１ｂ）に板厚方向の曲げ力を付与して、曲げ力による引張応力と引張熱応力とを重畳させる。これにより、板材（１）を分断計画線（２）に沿って分断する。【図１】
0005750202.tif 000002
【図２】
0005750202.tif 000003
【図３Ａ】
0005750202.tif 000004
【図３Ｂ】
0005750202.tif 000005
【図３Ｃ】
0005750202.tif 000006
【図３Ｄ】
0005750202.tif 000007
【図４】
0005750202.tif 000008
【図５Ａ】
0005750202.tif 000009
【図５Ｂ】
0005750202.tif 000010
【図６】
0005750202.tif 000011
【図７】
0005750202.tif 000012
【図８】
0005750202.tif 000013
【図９】
0005750202.tif 000014
【図１０Ａ】
0005750202.tif 000015
【図１０Ｂ】
0005750202.tif 000016
【図１０Ｃ】
0005750202.tif 000017
【図１０Ｄ】
0005750202.tif 000018